(57)【特許請求の範囲】
【請求項１】
譜面台を略水平な状態から傾斜させると共に、予め定められた第１の角度で傾斜保持する譜面台傾斜機構において、
前記譜面台が設置される箇所であって該譜面台の傾斜動作の軸位置に立設される略円盤状の部材であって、該円盤の軸が前記譜面台の傾斜動作の軸と一致している支持円盤と、
該支持円盤と同軸に且つ回転可能に重合される略円盤状の部材であって、前記譜面台に固定される可動円盤と、
を備え、前記支持円盤および前記可動円盤の一方の重合面には、
他方の重合面に向かって板バネにより付勢された突部が形成され、
該他方の重合面には、
前記譜面台が略水平にされた際に前記突部が入り込む位置を起点として、前記譜面台が前記第１の角度傾斜された際に前記突部が入り込む位置を終点とする第１溝と、
該第１溝の起点を終点とし、該第１溝の内周側を通って、前記譜面台が前記第１の角度よりも傾斜の大きな角度として予め設定された第２の角度傾斜された際に前記突部が入り込むことが可能な位置を起点とする第２溝と、
該第２溝の起点と、前記第１溝の終点とを連絡する第３溝と、が形成され、
更に前記第１溝は、当該第１溝が形成された円盤と同心の略円弧状にされており、その終点には前記突部が入り込むための穴が形成されており、
前記穴は、前記第１溝側の壁面が前記重合面に対して略垂直に形成され、また前記第３溝側の壁面が前記第２溝の起点方向に向けて徐々に浅くなるように形成されており、
前記譜面台を、前記第１の角度よりも小さな傾斜角度から該第１の角度まで傾斜させると、該第１の角度よりも傾斜角度を小さくすることが一旦不能となり、
更に前記譜面台を、前記第２の角度まで傾斜させると、前記第１の角度よりも小さな傾斜角度にすることが可能にされることを特徴とする譜面台傾斜機構。
【請求項２】
前記第２溝が、その終点付近は前記第１溝の起点付近よりも浅くされており、且つ該終点付近から該第１溝の起点に掛けて段差状に深くなるように形成されている
ことを特徴とする請求項１に記載の譜面台傾斜機構。
【請求項３】
前記第１溝が、その起点からその終点に掛けて徐々に浅くなるように形成されている
ことを特徴とする請求項２に記載の譜面台傾斜機構。
【請求項４】
前記第２溝が、その起点からその終点に掛けて徐々に浅くなるように形成されている
ことを特徴とする請求項２または３に記載の譜面台傾斜機構。
【発明の詳細な説明】
【０００１】
【発明の属する技術分野】
本発明は、不使用時には略水平にでき、使用時には傾斜させることができる譜面台傾斜機構に関する。
【０００２】
【従来の技術】
このような譜面台傾斜機構としては、グランドピアノに用いられるものがある。代表的なものとしては、譜面台の背面に、板状部材（支え部材という）を蝶番により揺動可能に吊設し、一方、グランドピアノ側には前後方向に配設される本持元木に、左右方向に溝を複数本形成しておく。譜面台を引き起こすと、支え部材の先端が、複数本の溝の内のどれかに係止し、その姿勢で譜面台が静止される。
【０００３】
【発明が解決しようとする課題】
しかしながら、上記従来技術によれば、傾斜させた台を水平に戻す際に手を譜面台の背面に回し、支え部材と溝との係止を解かねばならない。
本発明はかかる課題に鑑みなされたもので、手を譜面台の背面に回さなくとも容易に譜面台を水平にできる譜面台傾斜機構を提供することを目的としている。
【０００４】
【課題を解決するための手段及び発明の効果】
かかる課題を解決するためになされた請求項１の本発明は、譜面台を略水平な状態から傾斜させると共に、予め定められた第１の角度で傾斜保持する譜面台傾斜機構において、
前記譜面台が設置される箇所であって該譜面台の傾斜動作の軸位置に立設される略円盤状の部材であって、該円盤の軸が前記譜面台の傾斜動作の軸と一致している支持円盤と、
該支持円盤と同軸に且つ回転可能に重合される略円盤状の部材であって、前記譜面台に固定される可動円盤と、を備え、前記支持円盤および前記可動円盤の一方の重合面には、
他方の重合面に向かって板バネにより付勢された突部が形成され、
該他方の重合面には、前記譜面台が略水平にされた際に前記突部が入り込む位置を起点として、前記譜面台が前記第１の角度傾斜された際に前記突部が入り込む位置を終点とする第１溝と、該第１溝の起点を終点とし、該第１溝の内周側を通って、前記譜面台が前記第１の角度よりも傾斜の大きな角度として予め設定された第２の角度傾斜された際に前記突部が入り込むことが可能な位置を起点とする第２溝と、該第２溝の起点と、前記第１溝の終点とを連絡する第３溝と、が形成され、
更に前記第１溝は、当該第１溝が形成された円盤と同心の略円弧状にされており、その終点には前記突部が入り込むための穴が形成されており、
前記穴は、前記第１溝側の壁面が前記重合面に対して略垂直に形成され、また前記第３溝側の壁面が前記第２溝の起点方向に向けて徐々に浅くなるように形成されており、
前記譜面台を、前記第１の角度よりも小さな傾斜角度から該第１の角度まで傾斜させると、該第１の角度よりも傾斜角度を小さくすることが一旦不能となり、
更に前記譜面台を、前記第２の角度まで傾斜させると、前記第１の角度よりも小さな傾斜角度にすることが可能にされることを特徴とする。
【０００５】
つまりこの譜面台傾斜機構によれば、傾斜させる際には、譜面台を、例えば略水平の姿勢から第１の角度まで引き起こせばよい。こうすると第１の角度よりも譜面台を傾斜角度を小さくすることが一旦不能となる。なお、楽器の、譜面台が設置される箇所は多くの場合水平であり、また楽器自体も通常水平に設置されるので、以下、略水平を単に水平という。この譜面台を水平に戻すには、更に譜面台を引き起こし、第２の角度まで傾斜させると、第１の角度よりも小さな傾斜角度にすることができる。従って、手を譜面台の背面に回さなくとも、譜面台を第２の角度まで傾斜させるだけで容易に譜面台を水平に戻すことができる。
【０００７】
この譜面台傾斜機構によれば、譜面台が水平の状態では突部が第１溝の起点（第２溝の終点に同じ）にある。そこから譜面台を引き起こすと、突部が第１溝に沿って移動していく。譜面台を第１の角度まで傾斜させると突部が第１溝の終点に達する。突部は、この突部が形成されなかった方の円盤に向かって板バネにより付勢されているので、第１溝の終点に達すると、そこに形成されている穴に入り込む。この結果、突部が第１溝を移動できなくなり、譜面台がその傾斜角度で静止する。なおも譜面台を傾斜させると、突部が穴から離脱して第３溝に沿って移動し、第２溝の起点に達する。この移動は、板バネの弾性により可能にされている。すると突部は第２溝に沿って移動可能となり、この結果、譜面台はその傾斜角度を小さくすることが可能となり、水平に戻る。
【０００８】
譜面台が水平に戻ると、突部は第２溝の終点に達する。ここは第１溝の起点と同じであるから、譜面台を傾斜させれば、突部は再び第１溝に沿って移動する。この際、突部が第２溝を逆流する可能性があるが、第１溝が、自らが形成された円盤と同心の略円弧状にされており、突部もこの円盤と同軸に回転されるため、実際には突部が第２溝を逆流することは殆どない。これを確実に防ぐには請求項２のようにすれば良い。すなわち請求項２に記載の譜面台傾斜機構は、請求項１に記載の譜面台傾斜機構において、前記第２溝が、その終点付近は前記第１溝の起点付近よりも浅くされており、且つ該終点付近から該第１溝の起点に掛けて段差状に深くなるように形成されていることを特徴とする。
【０００９】
こうすると、第１溝の起点（第２溝の終点）にある突部が第２溝を逆流するには前記段差を昇る必要がある。このような非現実的な動きは突部はしないため、譜面台を傾斜させる際に突部が第２溝を逆流するのを確実に防止できる。
但しこのように第１溝、第２溝の深さに差を付けると、これらの溝が形成された円盤が厚くなる虞がある。特に第１溝の終点には穴を形成する必要がある。これを防ぐには請求項３のようにすればよい。すなわち請求項３に記載の譜面台傾斜機構は、請求項２に記載の譜面台傾斜機構において、前記第１溝が、その起点からその終点に掛けて徐々に浅くなるように形成されていることを特徴とする。
【００１０】
こうすれば、第１溝は、その起点が第２溝の終点付近よりも深くされているにも拘わらず、その終点に掛けて徐々に浅くされているため、終点に穴を形成するためにその円盤を十分に厚くする必要がない。
また、請求項４のようにしても効果的である。すなわち請求項４に記載の譜面台傾斜機構は、請求項２または３に記載の譜面台傾斜機構において、前記第２溝が、その起点からその終点に掛けて徐々に浅くなるように形成されていることを特徴とする。
【００１１】
こうすると、第１溝の起点を第２溝の終点付近よりも極端に深くしなくとも、前記段差を形成することができる。また第１溝の終点の穴と第２溝の起点との深さの差が小さくなるので、第３溝を形成し易くなるという利点もある。
また、請求項１から４のいずれかに記載の譜面台傾斜機構は、前記第１の角度よりも大きく前記第２の角度よりも小さな第３の角度が予め設定されており、前記譜面台を、前記第３の角度よりも小さな傾斜角度から該第３の角度まで傾斜させると、該第３の角度よりも傾斜角度を小さくすることが一旦不能となるように構成してもよい。
【００１２】
こうすると、譜面台を２種類の傾斜角度で静止させることが可能となる。もちろん、更に多くの姿勢にて譜面台を静止可能に構成しても良い。
【００１３】
【発明の実施の形態】
以下に本発明の一実施形態を図面と共に説明する。まず、図１は本発明の譜面台傾斜機構を適用した譜面台１とその周辺を示す側面図である。
譜面台１は、位置Ｐを軸として水平姿勢１’から垂直姿勢１''の範囲で揺動可能に本持元木３に取り付けられている。そして譜面台１は、水平姿勢から角度αだけ傾斜された姿勢にて静止可能にされている（▲１▼）。この状態では、少々の力が加わった程度では譜面台１は時計方向に回動しない。静止された譜面台１は、更に本図の反時計方向に揺動され、垂直になる（▲２▼）と、容易に傾斜角度αを超えて水平姿勢に戻す（▲３▼）ことが可能にされている。なお図中、符号７は可動円盤、符号９は可動円盤７を譜面台１に固定するための耳片、符号１１は可動円盤７の背後に隠れている支持円盤（後述）を本持元木３に固定するための耳片、符号１３は譜面台１を水平姿勢１’に保つためのストッパーである。
【００１４】
本図を右から見た図を図２（ａ）に示す。ただし譜面台１は水平姿勢とし、支持円盤は内部を透視した。本図に示すように、可動円盤７には支持円盤１７が重合されている。両円盤７、１７はＰを軸として互いに回動可能に固定されている。図２（ｂ）に、可動円盤７を図２（ａ）の右方から見た図、図２（ｃ）に、更に図２（ｂ）の下方から見た図をそれぞれ示す。可動円盤７の重合面７ａには板バネ２１が傾斜された状態で設けられており、その先端は支持円盤１７に向かって折り曲げられている（この先端を以下、突部２３という）。支持円盤１７には第１溝１９が形成されており、この第１溝１９に突部２３が入り込んだ状態で両円盤７、１７は重合される。
【００１５】
図３に、支持円盤１７の説明図を示す。図３（ａ）は図２（ａ）の支持円盤１７を左方から見た図である。支持円盤１７の重合面１７ａには、第１溝１９の他、第２溝２５、第３溝２７が形成されている。第１溝１９は、Ｐを中心とする円弧状になっており、第２溝２５は第１溝１９よりも内周側に形成されている。両溝１９、２５は点Ｘを共通の端部としており、夫々の他端Ａ、Ｂを第３溝２７が連絡している。図３（ｂ）は、第１溝１９に沿って支持円盤１７を断面にした図である。本図に示すように第１溝１９は、点Ｘから点Ａ付近に掛けて徐々に浅くなるように形成されおり、点Ａは穴が形成されている。
【００１６】
図３（ｃ）は、第２溝２５に沿って支持円盤１７を断面にした図である。但し図が煩雑にならないよう、点Ｘの付近から描いている。第２溝２５は第１溝１９とは異なり、点Ｘ付近が浅く、そこから遠ざかるに連れて（つまり点Ｂに掛けて）徐々に深くなるように形成されている。すなわち、点Ｘにおいて第１溝１９と第２溝２５との間には段差が形成されている。図３（ｄ）は、第３溝２７に沿って支持円盤１７を断面にし拡大した図である。本図に示すように第３溝２７は、点Ａから徐々に浅くなる曲面２９を有しており、点Ｂで急激に深くなるように形成されている。
【００１７】
図４に、譜面台１を傾斜させたときに突部２３が支持円盤１７に形成された溝１９、２５、２７内を移動する様子を示す。図４（ａ）は譜面台１を水平にした状態、図４（ｂ）は譜面台１が角度αにて静止した状態、図４（ｃ）は譜面台１を垂直にした状態を示しており、何れも図１と同方向から見た図となっている。なお、突部２３と溝１９、２５、２７の相対位置を示すために可動円盤７は透視した。
【００１８】
図４（ａ）に示すように、譜面台１を水平にした状態では、突部２３は点Ｘに位置している。ここから譜面台１を起こして行くと、突部２３は第１溝１９内を移動して行く。なお、前述のように点Ｘ付近において第１溝１９と第２溝２５との間には段差が形成され、第２溝２５の方が浅くされているので、譜面台１を水平状態から起こして行く際に、突部２３が第２溝２５内を進んで行く（以下、逆流という）ことはない。譜面台１を角度αにすると、図４（ｂ）に示すように突部２３が点Ａに到達し、ここに形成されている穴に嵌まり込む。これにより譜面台１はこの傾斜角度で静止する。
【００１９】
この状態から譜面台１を垂直にすると、突部２３は曲面２９（図３（ｄ）参照）を乗り越え点Ｂに到達する（図４（ｃ）の状態）。この際、板バネ２１が内周方向に撓むことにより突部２３は点Ｂに達することができる。この状態から譜面台１を本図の時計回りに回動すると、突部２３は点Ｂから曲面２９に戻ることはできず、第２溝２５内を点Ｘに向かって移動して行く。従って譜面台１は角度αにて静止することはなく、傾斜を小さくして行く。そして譜面台１が水平に戻されると、突部２３は、前記段差を落下して点Ｘに到達し、図４（ａ）の状態に戻る。
【００２０】
このような譜面台傾斜機構によれば、傾斜させる際には、譜面台１を、角度αまで引き起こせばよい。こうすると角度αよりも譜面台を傾斜角度を小さくすることが一旦不能となる。譜面台１を水平に戻すには、更に譜面台１を引き起こして垂直にすると、第１の角度よりも小さな傾斜角度にすることができる。従って、手を譜面台１の背面に回さなくとも、譜面台を垂直にするだけで容易に譜面台１を水平に戻すことができる。従って、グランドピアノのように、水平にされた譜面台を大屋根前により蓋をする構造となっている場合にはこの機構は好適である。もちろん、グランドピアノ以外の楽器に適用しても構わない。
【００２１】
また、点Ｘ付近で第１溝１９と第２溝２５との間に段差が形成されているため、水平にされた譜面台１を傾斜させる際に突部が第２溝２５を逆流するのを確実に防止できる。そしてこのように第１溝１９と第２溝２５との間に段差を形成しているにも拘わらず、両溝１９、溝２５の断面を図３（ｂ）、図３（ｃ）に示したように深さが変化する形状にしているので、支持円盤１７の厚さを抑えることができる。
【００２２】
ここで、本実施の形態の構成と本発明の構成要件との対応関係を示す。角度αが第１の角度に相当し、垂直すなわち９０°が第２の角度に相当し、点Ｘが本発明の第１溝の起点（第２溝の終点）に相当し、点Ａが本発明の第１溝の終点に相当し、点Ｂが本発明の第２溝の起点に相当する。
【００２３】
以上、本発明を適用した一実施形態について説明してきたが、本発明はこの実施形態に何等限定されるものではなく様々な態様で実施しうる。
例えば、前記実施形態とは逆に、板バネ２１を支持円盤１７に設け、溝１９、２５、２７を可動円盤７に形成しても良い。また、前記実施形態に示した構成とは異なる構成により、同様の操作で譜面台１を傾斜させたり水平に戻せたりできるように構成しても良い。
【００２４】
また、角度α以外の角度で譜面台１が静止するようにしてももちろん良い。これには、溝１９、２５の長さや形状を変更すれば良い。また、複数の角度で譜面台１が静止するように構成しても良い。これには、第１溝１９の途中にも突部２３が嵌まり込む穴を形成すればよい。なお、その穴から見て点Ａ側の第１溝１９の断面形状は、第３溝２７の曲面２９のように緩やかに深さが変化するものにするとよい。
【図面の簡単な説明】
【図１】  本発明を適用した譜面台１とその周辺を示す側面図である。
【図２】  可動円盤７、支持円盤１７が重合された様子および可動円盤７の説明図である。
【図３】  支持円盤１７の説明図である。
【図４】  譜面台１を傾斜させたときに突部２３が支持円盤１７に形成された溝１９、２５、２７内を移動する様子を示す説明図である。
【符号の説明】
１…譜面台        ３…本持元木
７…可動円盤      ７ａ…可動円盤の重合面
１７…支持円盤    １７ａ…支持円盤の重合面
１９…第１溝    ２１…板バネ    ２３…突部
２５…第２溝    ２７…第３溝
【図１】
0004800512.tif 000002
【図２】
0004800512.tif 000003
【図３】
0004800512.tif 000004
【図４】
0004800512.tif 000005